(57)【要約】      （修正有）【課題】卓上カレンダーとするもので、三角柱のいずれかの面に、特定月分のカレンダーが印刷されたことを特徴とするカレンダーが印刷される領域を有する印刷紙を提供する。【解決手段】略矩形状の紙材８にイラスト、図柄、文字、写真を印刷する印刷領域１６を備え、前記印刷領域１６は、紙材周縁の余白部分との間に配設したマイクロミシン目７により切り離し可能とし、切り離しした印刷領域１６を折り曲げることにより三角柱の卓上カレンダーとなし、三角柱のいずれかの面に、特定月分のカレンダーが印刷されたことを特徴とするカレンダーが印刷される。【選択図】図１
0003169097.tif 000002
【実用新案登録請求の範囲】
【請求項１】
略矩形状の紙材にイラスト、図柄、文字、写真を印刷する印刷領域を備え、
前記印刷領域は、紙材周縁の余白部分との間に配設したマイクロミシン目により切り離し可能とし、
切り離しした印刷領域を折り曲げることにより三角柱となし、前記三角柱のいずれかの面に、特定月分のカレンダーが印刷されたことを特徴とするカレンダーが印刷される領域を有する印刷紙。
【請求項２】
前記印刷領域の略中央位置を左右に横断する第１の折代と、前記第１の折代と前記印刷領域の下辺との間の所定位置を左右に横断する第２の折代と、前記第１の折代と前記印刷領域の上辺との間の所定位置を左右に横断する第３の折代とを備え、
前記第１の折代と前記第２の折代との間の領域及び前記第１の折代と前記第３の折代との間の領域のうちの少なくともいずれかの領域に特定月分のカレンダーが印刷される領域を有し、
前記印刷領域の上辺又は下辺のいずれか一方に舌片を凸設するためのマイクロミシン目を設けると共に、他方に前記舌片を挿入可能な切込部を設けたことを特徴とする請求項１に記載のカレンダーが印刷される領域を有する印刷紙。
【請求項３】
第１の折代より、特定月分のカレンダーが印刷される領域とは反対の領域の内方に切込み線を設けることにより、第１の折代を折代として三角柱の頂点部より上方に起立させる起立片が形成されることを特徴とする請求項１又は請求項２に記載のカレンダーが印刷される領域を有する印刷紙。
【考案の詳細な説明】
【技術分野】
【０００１】
本考案は、卓上カレンダーが印刷される領域を有する印刷紙に関するものである。
【０００２】
従来、カレンダーの紙面の一部に企業名や連絡先、その企業が提供するサービスの内容等が記載された広告欄を備えたカレンダーが広く知られている。
【０００３】
この種のカレンダーは、消費者の家庭等で使用されることにより、１年間という長期にわたり、その企業の宣伝広告としての機能を果たすことができるため、多くの企業がこの種のカレンダーを販売促進（以下、「販促」という。）の一手段として利用している。
【０００４】
近年、この種のカレンダーとして、一葉の紙片を折り曲げて三角柱となし、前記三角柱の第１の面に、特定月分のカレンダーが記載されたカレンダー記載領域と、クーポン券が記載されたクーポン券記載領域とを設け、前記三角柱の第２の面を座部として自立可能に構成したクーポン券付カレンダーが本願出願人により考案されている（たとえば、特許文献１,２参照。）。
【先行技術文献】
【特許文献】
【０００５】
【特許文献１】実用新案登録第３１３１４８２号公報
【特許文献２】実用新案登録第３１２８６２４号公報
【考案の概要】
【考案が解決しようとする課題】
【０００６】
前記特許文献１に記載のカレンダーが印刷される領域を有する印刷紙では、家庭用で自由にカレンダーを印刷して作成するものではなかった。すなわち、カレンダーを作製する際、一葉の紙片にカレンダーを領域の配置を詳細に決定すると共に、カレンダー領域に特定の月のカレンダーを印刷した後、余白部分を切り取る作業が必要であったため、印刷業者で作製するものであって、家庭で作製できるものではなかった。
【０００７】
そこで、本願考案人は、家庭用の卓上カレンダーを自由に作製できるカレンダーが印刷される領域を有する印刷紙を知見し、本願考案を完成させた。
【０００８】
本願考案は、前記問題を解消するためになされたもので、卓上カレンダーとするもので、三角柱のいずれかの面に、特定月分のカレンダーが印刷されたことを特徴とするカレンダーが印刷される領域を有する印刷紙を提供する。
【課題を解決するための手段】
【０００９】
請求項１に係る本考案は、略矩形状の紙材にイラスト、図柄、文字、写真を印刷する印刷領域を備え、前記印刷領域は、紙材周縁の余白部分との間に配設したマイクロミシン目により切り離し可能とし、切り離しした印刷領域を折り曲げることにより三角柱となし、前記三角柱のいずれかの面に、特定月分のカレンダーが印刷されたことを特徴とするカレンダーが印刷される領域を有する印刷紙を提供することとした。
【００１０】
また、請求項２に係る本考案は、前記印刷領域の略中央位置を左右に横断する第１の折代と、前記第１の折代と前記印刷領域の下辺との間の所定位置を左右に横断する第２の折代と、前記第１の折代と前記印刷領域の上辺との間の所定位置を左右に横断する第３の折代とを備え、前記第１の折代と前記第２の折代との間の領域及び前記第１の折代と前記第３の折代との間の領域のうちの少なくともいずれかの領域に特定月分のカレンダーが印刷される領域を有し、前記印刷領域の上辺又は下辺のいずれか一方に舌片を凸設するためのマイクロミシン目を設けると共に、他方に前記舌片を挿入可能な切込部を設けたことを特徴とする請求項１に記載のカレンダーが印刷される領域を有する印刷紙である。
【００１１】
また、請求項３に係る本考案は、第１の折代より、特定月分のカレンダーが印刷される領域とは反対の領域の内方に切込み線を設けることにより、第１の折代を折代として三角柱の頂点部より上方に起立させる起立片が形成されることを特徴とする請求項１又は請求項２に記載のカレンダーが印刷される領域を有する印刷紙である。
【考案の効果】
【００１２】
本考案によれば、以下に記載するような効果が生起される。
【００１３】
すなわち、請求項１に係る本考案では、家庭でパソコンにて画像を取込むなどして家庭用プリンター等でカレンダーを自由に印刷して、卓上カレンダーと使用することができる。また、特定のカレンダーに自由に予定欄を印刷することができる。
【００１４】
また、請求項２に係る本考案では、第１の折代と第２の折代と第３の折代とにより三角柱となる卓上カレンダーを容易に作製することができる。また、三角柱の卓上カレンダーのどの部分にでも特定の月のカレンダーを容易に作製することができる。
【００１５】
また、請求項３に係る本考案では、起立片を三角注の頂点より上方に起立させることで、その起立片に伝言などを記載することで、メッセンジャーとしても使用することができる。起立片には、画像や図柄を載せることもできる。
【図面の簡単な説明】
【００１６】
【図１】本実施形態に係るカレンダーが印刷される領域を有する無地の印刷紙を示す説明図である。
【図２】本実施形態に係るカレンダーが印刷される印刷紙を示す説明図である。
【図３】本実施形態に係る印刷紙の使用状態とする卓上カレンダーの構造を示す斜視図である。
【図４】本実施形態に係る起立片を起立させた状態での卓上カレンダーの構造を示す斜視図である。
【考案を実施するための最良の形態】
【００１７】
以下、本考案のカレンダーが印刷される領域を有する印刷紙の一実施形態について、図面を参照して具体的に説明する。
【００１８】
図１は、本実施形態に係るカレンダーが印刷された領域を有する無地の印刷紙を示す説明図であり、図２は、本実施形態に係るカレンダーが印刷される印刷紙を示す説明図であり、図３は、本実施形態に係る印刷紙の使用状態とする卓上カレンダーの構造を示す斜視図であり、図４は、本実施形態に係る起立片を起立させた状態での卓上カレンダーの構造を示す斜視図である。
【００１９】
本実施形態に係る印刷紙は、略矩形状の紙片にイラスト、図柄、文字、写真を印刷する印刷領域１６を備え、前記印刷領域１６は、紙材周縁の余白部分との間に配設したマイクロミシン目により切り離し可能としている。
【００２０】
印刷紙は、例えば、通常の印刷紙、コピー用紙、インクジェット対応の専用紙等を使用することができる。
【００２１】
すなわち、図１に示すように、この印刷紙１は略矩形状の紙片８よりなる。また、この印刷紙１の印刷領域１６は、その略中央位置を左右に横断する第１の折代９と、第１の折代９と紙片８の下辺との間の所定位置を左右に横断する第２の折代１０と、第１の折代９と紙片８の上辺との間の所定位置を左右に横断する第３の折代１１とを備えている。
【００２２】
印刷領域１６は、紙材周縁の余白部分との間に配設したマイクロミシン目を形成することにより切り離し可能としている。すなわち、マイクロミシン目は、印刷紙の周縁部より所定距離だけ内方であって、略矩形状に形成されている。これにより、印刷領域１６は矩形状に形成される。
【００２３】
本実施形態では、第１の折代９、第２の折代１０、第３の折代１１を形成する際、家庭にて切込を入れるなどして形成してもよいし、工場にて紙片８にプレス型抜き加工を施すことによって一括形成するようにしてもよい。なお、プレス型抜き加工としては、例えば、トムソン用刃型を用いたプレス加工等の任意のプレス型抜き加工を用いることができる。
【００２４】
このように、本考案の卓上カレンダー１５を構成する紙片８は、印刷処理とプレス処理により製造することができるので、容易、且つ、比較的低コストで多数枚製造することができる。
【００２５】
本実施形態では、この紙片８の印刷領域１６に記載するカレンダー情報及び自由使用領域６の各種情報は、家庭用パソコンで自由に作成できると共に、家庭用プリンターで自由に印刷可能としている。
【００２６】
図２は、印刷紙１の印刷領域１６に特定の月が印刷されたカレンダーや図柄が印刷された状態を示している。そして、本実施形態に係る印刷紙１は、第１の折代９と第２の折代１０との間の紙面が三角柱における第１の面２となり、第１の折代９と第３の折代１１との間の紙面が三角柱における第２の面３となり、第２の折代１０よりも下側の紙面と第３の折代１１よりも上側の紙面とが三角柱における第３の面４となる。
【００２７】
第１の面２には、特定の月のカレンダーを印刷するカレンダー印刷領域５となる。本実施形態では、図２に示すように、２０１１年の４月分のカレンダーが記載されている。
【００２８】
また、本実施形態では、印刷紙１の第１の面２内のカレンダー印刷領域５に１ヶ月分のカレンダーを記載するように構成しているが、印刷紙１の第１の面２と第２の面３の両方にカレンダー印刷領域５をそれぞれ設けてもよく、それらに例えば２ヶ月分だけのカレンダーを記載するように構成してもよい。
【００２９】
また、多数月分のカレンダーを記載する場合には、印刷紙１の第１の面２と第３の面４のそれぞれに、複数ヶ月分のカレンダー印刷領域５を形成してもよい。
【００３０】
このように構成する場合には、印刷紙１の第１の面２だけにカレンダー印刷領域５を設け、その横の自由使用領域６には企業広告やクーポン券等の情報を記載するようにしてもよい。又は、自由使用領域６には、絵や図柄を自由に印刷してもよいし、メッセンジを挿入してもよい。
【００３１】
第２の面３には、写真の画像を取り込んだり、絵などを挿入したり可能としている。また、第２の面３には、第１の折代よりカレンダー領域とは反対の領域の内方にマイクロミシン目７ａ（切り込み線）を設けることにより、第１の折代９を折代として三角柱の頂点部より上方に起立させる起立片１４を設けている。また、起立片１４を起立させやすいように、起立片１４の頂部にマイクロミシン目７ｂ（スリットでも可）を入れることにより半円形の切り離し片１７を設けている。
【００３２】
また、本実施形態では、紙片８の上辺に切込部１３を設け、紙片８の下辺に舌片１２を凸設するようにしているが、これに限定するものではなく、紙片８の上辺又は下辺のいずれか一方に舌片１２を凸設し、他方に舌片１２を挿入可能な切込部１３を設けてもよい。
【００３３】
なお、本実施形態に示した舌片１２及び切込部１３の形状は一例に過ぎず、プレス処理で形成可能であって、印刷紙１の三角柱としての形状を保持できる形状であれば、任意の形状に形成することができる。
【００３４】
このように、一葉の紙片８からの印刷領域１６を所定の折代に沿って折り曲げることにより、第１の面２と、第２の面３と、第３の面４とからなる三角柱となし、その三角柱の第１の面２に、特定月分（本実施形態では、１月分）のカレンダーが記載されたカレンダー印刷領域５と、複数枚（本実施形態では、２枚）の自由使用領域６とを設け、三角柱の第２の面３を座部として自立可能に構成している。
【００３５】
そして、この紙片８を折り曲げて三角柱となすときには、マイクロミシン目７に沿って紙片８の不要な部分を切離し、舌片１２を切込部１３へ挿入することにより、形成した三角柱の形状が崩れることを防止するようにしている。
【００３６】
そして、図２に示すように、前記形成された印刷領域１６をこれら第１の折代９、第２の折代１０、第３の折代１１で所定角度に折り曲げることによって、図３に示した三角柱となるように構成している。
【００３７】
また、第１の折代９を折代として三角柱の頂点部より上方に起立させる起立片１４を設けているので、起立片１４に写真や図柄を取込むことができる。または、起立片１４には、伝言などを記載することで、メッセンジャーとしても使用することができる。
【００３８】
前記起立片１４を起立させるには、まず、図１に示す半円形の切り離し片１７をマイクロミシン目７ｂより切り離しして、切り離しした切り離し片１７の空いた部分に指を挿入して、マイクロミシン目７ａより切り離しして起立片１４を三角柱の頂点部より上方に起立させるようにする。
【００３９】
なお、不要な部分として切離す部分には、本実施形態の紙片８を用いて印刷紙１を形成する作り方等の情報を記載するようにしてもよい。
【００４０】
以上の結果、本実施形態における印刷紙１は、家庭でパソコンにて画像を取込むなどして家庭用プリンター等でカレンダーを自由に印刷して、卓上カレンダー１５と使用することができる。会社内のプリンターでも印刷して、会社内で卓上カレンダーとしても使用することができる。また、カレンダー印刷領域５などに自由に書き込みして予定欄を印刷することができる。
【符号の説明】
【００４１】
１  印刷紙
２  第１の面
３  第２の面
４  第３の面
５  カレンダー記載領域
６  自由使用領域
７  ７ａ  ７ｂ  マイクロミシン目
８  紙片
９  第１の折代
１０  第２の折代
１１  第３の折代
１２  舌片
１３  切込部
１４  起立片
１５  卓上カレンダー
１６  印刷領域
１７  切り離し片
【図１】
0003169097.tif 000003
【図２】
0003169097.tif 000004
【図３】
0003169097.tif 000005
【図４】
0003169097.tif 000006
【手続補正書】
【提出日】平成23年5月2日(2011.5.2)
【手続補正１】
【補正対象書類名】実用新案登録請求の範囲
【補正対象項目名】全文
【補正方法】変更
【補正の内容】
【実用新案登録請求の範囲】
【請求項１】
略矩形状の紙材にイラスト、図柄、文字、写真を印刷する印刷領域を備え、
前記印刷領域は、紙材周縁の余白部分との間に配設したマイクロミシン目により切り離し可能とし、
切り離しした印刷領域を折り曲げることにより三角柱となし、前記三角柱のいずれかの面に、特定月分のカレンダーが印刷されたことを特徴とするカレンダーが印刷される領域を有する印刷紙。
【請求項２】
前記印刷領域の略中央位置を左右に横断する第１の折代と、前記第１の折代と前記印刷領域の下辺との間の所定位置を左右に横断する第２の折代と、前記第１の折代と前記印刷領域の上辺との間の所定位置を左右に横断する第３の折代とを備え、
前記第１の折代と前記第２の折代との間の領域及び前記第１の折代と前記第３の折代との間の領域のうちの少なくともいずれかの領域に特定月分のカレンダーが印刷される領域を有し、
前記印刷領域の上辺又は下辺のいずれか一方に舌片を凸設するためのマイクロミシン目を設けると共に、他方に前記舌片を挿入可能な切込部を設けたことを特徴とする請求項１に記載のカレンダーが印刷される領域を有する印刷紙。
【請求項３】
第１の折代より、特定月分のカレンダーが印刷される領域とは反対の領域の内方に切込み線を設けることにより、第１の折代を折代として三角柱の頂点部より上方に起立させる起立片が形成されることを特徴とする請求項２に記載のカレンダーが印刷される領域を有する印刷紙。